(57)【要約】      （修正有）【課題】簡単に取り扱いできる畳下敷シートを提供する。【解決手段】畳下敷シート１は、無機鉱物粉末とポリエチレンと添加剤を配合して生成され、畳２の下に畳２とは別体に配置され、畳２や床下の湿気をコントロールでき、畳２の下の湿気を低下させ、畳２のダニやカビの発生を抑制できる。【選択図】図４
2014062434.tif 000002
【特許請求の範囲】
【請求項１】
畳の下に配置される畳下敷シートであって、
無機鉱物粉末とポリエチレンと添加剤を配合して生成され、畳の下に畳とは別体に配置されることを特徴とする畳下敷シート。
【請求項２】
前記無機鉱物粉末を７０重量％〜８０重量％、前記ポリエチレンを２９重量％〜１８重量％、前記添加剤を１重量％〜２重量％を配合して生成したことを特徴とする請求項１記載の畳下敷シート。
【請求項３】
畳の下に畳の平面形状と略同形状にして配置されることを特徴とする請求項１または請求項２記載の畳下敷シート。
【発明の詳細な説明】
【技術分野】
【０００１】
本発明は、畳の下に配置される畳下敷シートに関する。
【背景技術】
【０００２】
従来から、ダニやカビの発生を抑制する畳が知られている。この種の畳として、インシュレーションホード，樹脂製中空積層板，樹脂製断熱材から適宜選択し、組み合わせ積層して畳床本体を形成し、その畳床本体の上面に防湿シートを、下面に防水シートを夫々積層し、これらを縫着一体化して畳床を構成し、その畳床の表面に畳表を畳縁を介して縫い付け一体化するというものであった(例えば、特許文献１)。
【０００３】
また、以下に示す合成紙の製造方法というものも知られている。この合成紙の製造方法は、（１）混合、押し出し、および練りという工程により、７０重量％〜８０重量％の無機鉱物粉末、２９重量％〜１８重量％のポリエチレン、および１重量％〜２重量％の添加剤の組み合わせからペレットを形成させること、（２）ペレットを、少なくとも１つの押出機およびサーキュラーダイを有する二次成形型を含み、二次成形型が、その表面上に、少なくとも１つの注入口を有しており、注入口の各々が、二次成形型中に内部通路を規定し、かつ二次成形型のダイと通じている、紙フィルム生産手段に適用すること、(３)ペレットを押出機中で溶融し、メルトを二次成形型の注入口に移送し、そしてメルトを、サーキュラーダイに実質的に対応している中空フィルム管に成形すること、(４)フィルム管を冷却すること、並びに(５)フィルム管が同時二軸延伸し、二次成形型のダイから２００ｍｍ〜７００ｍｍの距離において３〜８倍に膨張されるように、フィルム管を膨張させ、フィルム管の端を引いて、環境に優しい紙を形成するものであって、ここで上記紙は７３μｍ〜１１６μｍの範囲の厚みを有するというものであった(例えば、特許文献２)。
【先行技術文献】
【特許文献】
【０００４】
【特許文献１】実開平７−３８４０１号公報
【０００５】
【特許文献２】特許第４７３９４８７号公報
【発明の概要】
【発明が解決しようとする課題】
【０００６】
しかしながら、従来のダニやカビの発生を抑制する畳は、畳床本体の上面に防湿シートを、下面に防水シートが積層することにより水分、湿気がシャットアウトさせ、ダニやカビの発生を抑制することができるが、防湿シートや防水シートが畳と一体になっているため、このダニやカビの発生を抑制する畳を使用するためには、防湿シートや防水シートと一体になった畳全体を購入せざるを得ず、高額な畳を購入することになる。また、防湿シートや防水シートと一体になった畳では、畳が痛んで使えなくなった場合に防湿シートや防水シートが使用できる場合でも、防湿シートや防水シートと一体になった畳全体を廃棄せざるを得ず、無駄が多かった。また、畳が擦り切れた場合や痛んだ場合でも、防湿シートや防水シートと一体になった畳が修理可能な専門店に出さなければならない場合があり、高額な修理費用を要する場合もあった。
【０００７】
本発明は、上記問題点に鑑みてなされたもので、安価かつ簡単に取り扱うことができる畳下敷シートを提供することを目的とする。
【課題を解決するための手段】
【０００８】
上記課題を解決し上記目的を達成するために、本発明のうち一態様に係るものは、畳の下に配置される畳下敷シートであって、無機鉱物粉末とポリエチレンと添加剤を配合して生成され、畳の下に畳とは別体に配置されることを特徴とするものである。
【０００９】
本発明のうち第２の態様に係るものは、第1の態様に係る畳下敷シートであって、無機鉱物粉末を７０重量％〜８０重量％、ポリエチレンを２９重量％〜１８重量％、添加剤を１重量％〜２重量％を配合して生成したものである。
【００１０】
本発明のうち第３の態様に係るものは、第１または第２の態様に係る畳下敷シートであって、畳の下に畳の平面形状と略同形状にして配置されるものである。
【発明の効果】
【００１１】
本発明によれば、無機鉱物粉末とポリエチレンと添加剤を配合して生成された畳下敷シートを用いているので、畳の下の湿気を低下させることができ、畳にダニやカビが発生することを抑制することができる。また、畳下敷シートは畳の下に畳とは別体に配置されるので、畳下敷シートのみを購入して、既存の畳の下に配置させることができる。これにより、畳にダニやカビが発生することを安価に抑制することができる。また、畳下敷シートは畳と別体に畳の下に配置されるので、畳下敷シートのみ交換することができるとともに、その交換も容易に行うことができる。
【図面の簡単な説明】
【００１２】
【図１】本発明の一実施形態における畳下敷シートの斜視図である。
【図２】同畳下敷シート（単層）の断面図である。
【図３】同畳下敷シート（３層）の断面図である。
【図４】畳の下に配置された畳下敷シートを説明する図である。
【発明を実施するための形態】
【００１３】
以下、本発明の一実施形態の畳下敷シートについて図面を参照にしながら説明する。ここで、図１は本発明の一実施形態における畳下敷シートの斜視図である。
【００１４】
図１に示すように、畳下敷シート１は平面形状をしている。畳下敷シート１を畳の下に配置させる際には、はさみやカッターなどで畳下敷シート１を所定の大きさにして、畳の下に配置することとなる。
【００１５】
次に、本発明の一実施形態の畳下敷シートの成分などについて説明する。なお、本実施形態では、畳下敷シート１として、畳下敷シート（単層）と畳下敷シート（３層）について説明するが、いずれの畳下敷シート１を用いてよい。ここで、図２は本発明の一実施形態における畳下敷シート（単層）の断面図であり、図３は同畳下敷シート（３層）の断面図である。ここで、図２および図３の断面図は、図１のＡ-Ａ断面に相当する。
【００１６】
図２に示すように、畳下敷シート１（単層）は、背景技術の特許文献２記載のシートを用いている（図２参照）。すなわち、畳下敷シート１は、主成分としての７０重量％〜８０重量％の無機鉱物粉末、２９重量％〜１８重量％のポリエチレン、および約１重量％〜約２重量％の添加剤を含んでいる組成物を使用する。この畳下敷シート１の厚みは約３０μｍ〜約 １５０μｍの範囲にわたる。なお、畳下敷シート１の厚みを約３０μｍ〜約 １５０μｍの範囲と示したが、この範囲に制限されず、他の厚みのものでもよい。それらの無機鉱物粉末は、石から抽出されたもので、炭酸カルシウム、硫酸カルシウム、硫酸バリウム、カオリン、マイカ、酸化亜鉛、ドロマイト、ガラス繊維、中空ガラスミクロビーズ、シリカ、チョーク、タルク、ピグメント、二酸化チタン、二酸化ケイ素、ベントナイト、クレー、珪藻土およびそれらの混合物からなる群より選ばれる少なくとも２種の構成成分を包含しており、焼結されていてもいなくてもよい。ポリエチレンは、高密度ポリエチレン、または高密度ポリエチレンと、中密度ポリエチレン（すなわち、線状低密度ポリエチレン）および低密度ポリエチレンからなる群より選ばれるものの少なくとも１種との組み合わせを包含している。それらの添加剤は、カップリング剤、潤滑剤、分散剤、および静電防止剤を包含している。
【００１７】
カップリング剤は、例えばβ−(３，４−エポキシシクロヘキシル) エチルトリメトキシシランのようなシランカップリング剤である。潤滑剤は、Ｎ-オレイルパルミトアミドである。静電防止剤は、例えばＮ，Ｎ−ビス
（２−ヒドロキシエチル） ココアミン（Ｎ，Ｎ−ｂｉｓ（２−ｈｙｄｒｏｘｙｅｔｈｙｌ）ｃｏｃｏａｍｉｎｅ）またはＮ，Ｎ−ビス  （２−ヒドロキシエチル) ステアリルアミンである。なお、畳下敷シート１の製造方法については、背景技術の特許文献２記載の製造方法を用いているので、説明は省略する。
【００１８】
また、畳下敷シート１として、背景技術の特許文献２記載の３層の畳下敷シート１を用いてもよい（図３参照）。この３層の畳下敷シート１は、Ａ層、Ｂ層、およびＣ層から構成されている。Ａ層の構成成分は、７０重量％〜８０重量％の無機鉱物粉末、２９重量％〜１８重量％のポリエチレン、および１重量％〜２重量％の添加剤を包含している。また、Ｂ層の構成成分は、約５６重量％〜８０重量％の無機鉱物粉末、約４３重量％〜１８重量％のポリエチレン、および約１重量％〜２重量％の添加剤を包含している。そして、Ｃ層の構成成分は、約５６重量％〜８０重量％の無機鉱物粉末、約４３重量％〜１８重量％のポリエチレン、および約１重量％〜２重量％の添加剤を包含している。この畳下敷シート１の厚みは約１３０μｍ〜約 １６０μｍの範囲にわたる。なお、畳下敷シート１の厚みを約１３０μｍ〜約 １６０μｍの範囲と示したが、この範囲に制限されず、他の厚みのものでもよい。また、Ａ層、Ｂ層、およびＣ層の相対的な厚みは、必要に応じて、例えば１０％〜２５％のＡ層、８０％〜５０％のＢ層、および１０％〜２５％のＣ層のように調整することもできる。なお、この畳下敷シート１の製造方法についても、背景技術の特許文献２記載の製造方法を用いているので、説明は省略する。ここで、畳下敷シート１の構成成分である無機鉱物粉末、ポリエチレン、および添加剤は、上記比率で構成するものに限定されず、無機鉱物粉末、ポリエチレン、および添加剤を他の比率で構成させてもよい。
【００１９】
この無機鉱物粉末とポリエチレンと添加剤を配合して生成される畳下敷シート１は、社団法人大阪食品衛生協会食品検査センターで実施された検査にて、防カビ作用があることが明らかにされている。
【００２０】
次に、本実施形態における畳下敷シート１について図４を参照にして説明する。ここで、図４は畳の下に配置された畳下敷シートを説明する図である。
【００２１】
図４に示すように、畳下敷シート１の上に畳２を配置させるようにして、畳２の下に畳下敷シート１が敷かれている。この畳下敷シート１は、畳２の下に畳２の平面形状と略同形状にして配置されている。ここで、畳２の平面形状と略同形状にして配置されているとは、畳２が複数敷かれる場合は、複数枚の畳２の形状を１つとして、畳下敷シート１を形成させてもよい。畳２の下に畳下敷シート１を敷く場合は、新築の部屋の畳の下や清掃している部屋の畳の下に畳下敷シート１を敷くと、畳の下にカビやダニが発生していないので効果的である。なお、本実施形態では、畳下敷シート１を畳２の平面形状と略同形状にした態様について説明したが、これに限らず、略同形状でない形状であってもよい。
【００２２】
このように、無機鉱物粉末とポリエチレンと添加剤を配合して生成された畳下敷シート１を用い、防カビ作用のある畳下敷シート１を畳の下に配置させているので、畳２や床下の湿気をコントロールでき、畳２の下の湿気を低下させることができる。これにより、畳２にダニやカビが発生することを抑制することができる。
【００２３】
今回開示された実施の形態は、すべての点で例示であって制限的なものではないと考えられるべきである。本発明の範囲は、上記した説明ではなくて特許請求の範囲によって示され、特許請求の範囲と均等の意味および範囲内でのすべての変更が含まれることが意図される。
【符号の説明】
【００２４】
１  畳下敷シート
２  畳
【図１】
2014062434.tif 000003
【図２】
2014062434.tif 000004
【図３】
2014062434.tif 000005
【図４】
2014062434.tif 000006